(57)【特許請求の範囲】
【請求項１】
底面後方に吸込口を設け、底面と正面の角隅部に、支軸部を有し、回動自在に軸支した風向板を備えた斜め下向きの吹出口を有する本体内部を、通風口を備えた仕切板により前後に区画し、前方の区画に熱交換器を配置し、後方の区画に送風口を前記熱交換器に向けた送風機を配置するようにしてなる天吊型空気調和機において、
前記風向板の裏面は、短手方向の両端を厚肉状に形成し、且つその両先端部を円弧状に形成してなることを特徴とする天吊型空気調和機。
【請求項２】
前記斜め下向きの吹出口を運転停止時に、前記風向板により遮蔽した時、吹出口の短手方向の両端角隅部を、前記風向板の短手方向の両端部に沿って近接するよう形成し、前記本体内側が真下から見えないようにしてなることを特徴とする請求項１記載の天吊型空気調和機。
【請求項３】
前記風向板裏面の厚肉状両端部を曲面形状に形成したことを特徴とする請求項１記載の天吊型空気調和機。
【請求項４】
前記風向板の表面をほぼ平面状に形成したことを特徴とする請求項１記載の天吊型空気調和機。
【請求項５】
前記風向板を１枚羽根または２枚羽根で形成したことを特徴とする請求項１、３または請求項４記載の天吊型空気調和機。
【請求項６】
前記風向板を、枠部により前記吹出口に拡開するように支持したことを特徴とする請求項１記載の天吊型空気調和機。
【請求項７】
前記枠部の一側に、前記風向板を回動するための駆動装置を設け、前記風向板の少なくとも一端の支軸部が、前記枠部に設けられた軸受孔に回動自在に軸支されると共に、連係手段によって前記駆動装置に連係されてなることを特徴とする請求項１または請求項６記載の天吊型空気調和機。
【請求項８】
前記風向板を自動的に回動するための前記駆動装置および前記連係手段が、前記枠部の側面にリンクカバーを介して設けられるモータと、同モータの駆動力を前記風向板の支軸部に伝達するリンクと、同リンクを相互に連結するロッドとからなることを特徴とする請求項１、６または請求項７記載の天吊型空気調和機。
【発明の詳細な説明】
【０００１】
【発明の属する技術分野】
本発明は天吊型空気調和機に関わり、詳しくは、正面斜め下向きの吹出口から送出される吹出空気が、直ちに吸込口に流入する所謂ショートサーキットを防止すると共に、外観性をよくした風向板の構造、および同風向板を駆動する駆動装置の構造に関する。
【０００２】
【従来の技術】
従来の天吊型空気調和機は例えば図６および図７に示すような構造になっている。図６は内部構成を示したもので、図７は風向板を示したもである。本体21はその背面側の底面に吸込口22を設け、正面に支軸部28a を有し、回動自在に軸支した風向板28を備えた斜め下向きの吹出口23を設け、本体21内部は通風口を備えた仕切板21a により前後に区画され、前方の区画には熱交換器24とドレンパン25が配置され、後方の区画には送風口を前記熱交換器24に向けた送風機26が、前記仕切板21a の通風口に接続されたファンケーシング27に収容され配置された構成となっていた。
【０００３】
前記風向板28は、例えば図７（Ａ）で示すように、合成樹脂製からなり、ほぼ均一な板厚により平面形状に形成されたものや、図７（Ｂ）で示すように、通風抵抗を低減するため、断面形状が翼状としたものがある。
しかしながら、これらの形状の風向板28は、吹出口23から吹き出される吹出空気が矢印ａで示すように下方後方に向けて送出されやすい構成となり、吹出空気が直ちに前記吸込口22に流入する所謂ショートサーキットを起こして、熱交換効率を低下させてしまうという問題を有していた。
【０００４】
または、前記風向板28は、図７（Ｃ）で示すように、ほぼ均一な板厚により曲面形状に形成することにより、前記吹出口23から吹き出される吹出空気を矢印ｂで示すように水平方向に向けてショートサーキットを防止する反面、空気調和機の運転停止時に前記吹出口23を閉じた際、風向板28の短手方向の後部と吹出口23との間に凹凸ができてしまい外観性を損ねてしまうという問題を有していた。
【０００５】
【発明が解決しようとする課題】
本発明は上記問題点に鑑みなされたもので、正面斜め下向きの吹出口から送出される吹出空気が、直ちに吸込口に流入する所謂ショートサーキットを防止すると共に、外観性を良くした風向板の構造、および同風向板を駆動する駆動装置の構造を備えた天吊型空気調和機を提供することを目的としている。
【０００６】
【課題を解決するための手段】
本発明は上記の課題を解決するためになされたもので、底面後方に吸込口を設け、底面と正面の角隅部に、支軸部を有し、回動自在に軸支した風向板を備えた斜め下向きの吹出口を有する本体内部を、通風口を備えた仕切板により前後に区画し、前方の区画に熱交換器を配置し、後方の区画に送風口を前記熱交換器に向けた送風機を配置するようにしてなる天吊型空気調和機において、
前記風向板の裏面は、短手方向の両端部を厚肉状に形成し、表面はほぼ平面状に形成し、短手方向の両先端部を円弧状に形成した構成となっている。
【０００７】
また、前記斜め下向きの吹出口を運転停止時に、前記風向板により遮蔽した時、吹出口の短手方向の両端角隅部を、前記風向板の短手方向の両端部に沿って近接するよう形成し、前記本体内側が真下から見えないようにした構成となっている。
【０００８】
また、前記風向板裏面の厚肉状両端部を曲面形状に形成した構成となっている。
【０００９】
また、前記風向板の表面をほぼ平面状に形成した構成となっている。
【００１０】
また、前記風向板を１枚羽根または２枚羽根で形成した構成となっている。
【００１１】
また、前記風向板を、枠部により前記吹出口に拡開するように支持した構成となっている。
【００１２】
また、前記枠部の一側に、前記風向板を回動するための駆動装置を設け、前記風向板の少なくとも一端の支軸部が、前記枠部に設けられた軸受孔に回動自在に軸支されると共に、連係手段によって前記駆動装置に連係された構成となっている。
【００１３】
また、前記風向板を自動的に回動するための前記駆動装置および前記連係手段が、前記枠部の側面にリンクカバーを介して設けられるモータと、同モータの駆動力を前記風向板の支軸部に伝達するリンクと、同リンクを相互に連結するロッドとからなる構成となっている。
【００１４】
【発明の実施の形態】
以下、本発明の実施例を添付図面に基づいて説明する。図１と、図２と、図３（Ａ），（Ｂ）と図４（Ａ），（Ｂ）および図５とにおいて、１は天吊型空気調和機本体、1aは同本体１内部を通風口を備えて前後に区画した仕切板、２は前記本体１の背面側底面に設けられた吸込口、３は本体１の正面に斜め下向きに設けられた吹出口、４は前記吸込口２と同吹出口３を結ぶ空気通路の前方の区画に設けられた熱交換器、５は同熱交換器４の下部に配置されたドレンパンである。
【００１５】
６は前記本体１の後方の区画に配置され送風口を前記熱交換器４に向けた送風機、７は同送風機６を収容して前記仕切板1aの通風口に接続したファンケーシング、８は前記吹出口３に支軸部8aを有し、回動可能に軸支さられた風向板で、前記本体１は天井９等に吊り下げられ設置された構成となっている。
【００１６】
前記風向板８は、部品点数の少ない１枚羽根、または圧力損失を低減しながら風向を変化させる２枚羽根等で構成され、厚さを連続的に変化させた合成樹脂製によって形成されており、その裏面8bは短手方向の両端部を厚肉状にした曲面形状により形成され、表面8cはほぼ平面状に形成すると共に、短手方向の両先端部8d,8e を大きな円弧状に形成された構成となっている。
【００１７】
これによって、前記吹出口３からの吹出空気が矢印ｂで示すように水平方向に向けて送出され、上記に説明した従来技術のように、前記吹出口３からの吹出空気が直ちに前記吸込口２に流入する所謂ショートサーキットを起こすことがなくなり、熱交換効率を低下させることがないようにした構造となり、また、運転停止時に前記吹出口３を閉じた際、前記風向板８の短手方向の先端部8d,8e が前記吹出口３の短手方向の角隅部との隙間Ｔが面一状となって、前記本体１の内側が真下から見えないよう遮蔽することにより外観性を損ねてしまうことのない構造となっている。
【００１８】
図５に示すように、前記風向板８を複数の羽根で構成した場合、枠部10により前記吹出口３に拡開するように支持した構成とし、前記風向板８の少なくとも一端の支軸部8aが、前記枠部10に設けられた軸受孔10a に回動自在に軸支されると共に、連係手段によって駆動装置に連係されなる構成としたことにより、前記風向板８を自動的に回動できるようにした構造となっている。
【００１９】
また、前記風向板８を自動的に回動するための駆動装置および連係手段が、前記枠部10の側面にリンクカバー11を介して設けられたモータ12と、同モータ12の駆動力を前記風向板８の支軸部8aに伝達するリンク13と、同リンク13を相互に連結するロッド14とからなる構成となっている。
【００２０】
上記構成において、前記風向板８を、厚さが連続的に変化させた合成樹脂製によって構成され、その裏面8bは短手方向の両端部を厚肉状にした曲面形状により形成され、表面8cはほぼ平面状に形成すると共に、短手方向の両先端部8d,8e を大きな円弧状に形成された構成により、前記吹出口３からの吹出空気が直ちに前記吸込口２に流入する所謂ショートサーキットを起こすことがなくなり、熱交換効率を低下させることがないようにした構造となり、また、運転停止時に前記吹出口３を閉じた際、前記風向板８の短手方向の後端部8dが前記吹出口３の端部との隙間Ｔが面一状となって、前記本体１の内側が見えないよう遮蔽することにより外観性を損ねてしまうことのない構造を備えた天吊型空気調和機となる。
【００２１】
【発明の効果】
以上のように本発明によれば、正面斜め下向きの吹出口から送出される吹出空気が、直ちに吸込口に流入する所謂ショートサーキットを防止すると共に、外観性をよくした風向板の構造、および同風向板を駆動する駆動装置の構造を備えた天吊型空気調和機となる。
【図面の簡単な説明】
【図１】本発明による天吊型空気調和機の外観斜視図である。
【図２】本発明の実施例を示す天吊型空気調和機の内部構成図である。
【図３】本発明の一実施例を示す風向板の要部横断面図で、（Ａ）は１枚羽根の例で、（Ｂ）は２枚羽根の例である。
【図４】本発明の一実施例を示す吹出口を閉じた状態を表したもので、（Ａ）は１枚羽羽根の例で、（Ｂ）は２枚羽根の例である。
【図５】本発明による風向板の取付けを示す要部分解斜視図である。
【図６】従来例による天吊型空気調和機の内部構成図である。
【図７】従来例に係わる風向板の要部横断面図で、（Ａ）は第一の従来例で、（Ｂ）は第二の従来例で、（Ｃ）は第三の従来例である。
【符号の説明】
１  本体
1a  仕切板
２  吸込口
３  吹出口
４  熱交換器
５  ドレンパン
６  送風機
７  ファンケーシング
８  風向板
8a  支軸部
９  天井
10  枠部
10a   軸受孔
11  リンクカバー
12  モータ
13  リンク
14  ロッド
【図１】
0003858428.tif 000002
【図２】
0003858428.tif 000003
【図３】
0003858428.tif 000004
【図４】
0003858428.tif 000005
【図５】
0003858428.tif 000006
【図６】
0003858428.tif 000007
【図７】
0003858428.tif 000008